(57)【要約】【課題】隣接する扉と扉との端面の間に指等が挟まれないよう折畳式開閉扉における指つめ防止装置を提供する。【解決手段】複数の扉が折り畳み可能に蝶番により連結され、蝶番の軸を中心に両扉の端面間が開閉する折畳式開閉扉において、両扉の突き合わせ端部に、前記開閉側に位置して相開口する内空部を設け、両内空部にわたって前記開閉口を封じる可撓性の安全幕を張設し、両内空部又はいずれかの内空部に、安全幕をその巾方向へ重りやばね等の力で常時引っ張る付勢装置を内装した。【選択図】　　図１
2004060242.tif 000002
【特許請求の範囲】
【請求項１】
複数の扉が折り畳み可能に蝶番により連結され、蝶番の軸を中心に両扉の端面間が開閉する折畳式開閉扉において、両扉の突き合わせ端部に、前記開閉側に位置して相開口する内空部を設け、両内空部にわたって前記開閉口を封じる可撓性の安全幕を張設し、両内空部又はいずれかの内空部に、安全幕をその巾方向へ重りやばね等の力で常時引っ張る付勢装置を内装したことを特徴とする折畳式開閉扉における指つめ防止装置。
【請求項２】
両扉の内空部の間に、両扉が閉じにおいても開口する開口外縁間の間隔を設け、その間隔の間に介在する軟質材を安全幕に固着したことを特徴とする請求項１記載の折畳式開閉扉における指つめ防止装置。
【請求項３】
隣接両扉の内空部にわたって、両端面間の開きを常時閉じるように重りやばね等の力による閉じの付勢装置を内装したことを特徴とする請求項１又は２記載の折畳式開閉扉における指つめ防止装置。
【発明の詳細な説明】
【０００１】
【発明の属する技術分野】
この発明は、複数枚の扉が蝶番により連結されている折畳式開閉扉における指つめ防止装置に関する。
【０００２】
【従来の技術】
扉は一般的に一枚であるが、開口部が広い又は開口スペースを広げようとするときには、複数枚の扉が蝶番で連結される折畳式開閉扉が使用される。この場合、開口部の上枠に車輪の走行レールが設けられ、基端の扉以外の従属扉については、車輪に回転移動軸で吊り下げられることにより、レール移動と開閉とが同時進行する形態が取られる。
【０００３】
そこで、閉じる時には、先頭の扉を基端の扉に向かって押しながら扉を順次重ね合わせ、逆に開く時には、先頭の扉を引き出して重ね合わせを開くことになるが、この閉じる時に、隣接する扉と扉との端面が蝶番の軸を中心に閉じるため、そこに誤って指を入れたときに挟まって怪我をすることがあった。特に、二枚扉の場合であると、それが付き合う箇所を押して閉じようとするために挟まれやすい。また、多数の扉が連続する場合でも、先頭の扉を押す者を助けるために、中途に入る人が挟まれることがある。
【０００４】
【発明が解決しようとする課題】
この発明は、上記のような実情に鑑みて、隣接する扉と扉との端面の間に指等が挟まれないよう折畳式開閉扉における指つめ防止装置を提供することを目的とした。
【０００５】
【課題を解決するための手段】
上記の目的を達成するために、この発明は、複数の扉が折り畳み可能に蝶番により連結され、蝶番の軸を中心に両扉の端面間が開閉する折畳式開閉扉において、両扉の突き合わせ端部に、前記開閉側に位置して相開口する内空部を設け、両内空部にわたって前記開閉口を封じる可撓性の安全幕を張設し、両内空部又はいずれかの内空部に、安全幕をその巾方向へ重りやばね等の力で常時引っ張る付勢装置を内装したことを特徴とする折畳式開閉扉における指つめ防止装置を提供するものである。
【０００６】
【作用】
上記の構成によれば、従来と同じように扉を開閉し、開いたときに両扉の端面間が開拡するが、その開閉口が安全幕で封じられているため、端面間に指を入れて差し挟まれる危険がない。しかも、付勢装置が扉の閉じに作用するため、扉が自然に閉まるか閉めやすくなる。
【０００７】
【発明の実施の形態】
この発明において、折畳式開閉扉は、二枚扉の場合もあるしそれよりも多い場合もあるが、いずれの場合にも隣接する両扉１，２の間に安全幕３が張設され、安全幕３とそれを常時引っ張る付勢装置４を内装するために、内空部１９，１９が設けられる。この内空部１９は、切欠２１と表面板２２とにより設けることができるが、両扉１，２の縦框が押出形材であるときには、その成形により設けておくこともできる。
【０００８】
また、折畳式開閉扉Ｄが閉じにおいて、内空部１９，１９の開口外縁２４，２４の間が閉じるようにしても良いが、間隔を広く開くようにすればその間にも指等が挟むおそれがなく、また、軟質材２７で封じるようにしておけば（請求項２）、体裁が良好となり、安全幕３とともに断熱性もさらに向上させる。なお、材質的に、安全幕３には、例えば、ゴムシートや樹脂シート、織布シート、樹脂含浸複合シート等が、軟質材２７には、ゴム、モヘア等が使用される。
【０００９】
付勢装置４には、扉が自然に閉まるようにする点で重り２９を有効に使用することができる（請求項３）。その他、ばねや空気圧の力、ゴムの弾性を利用することもできる。この点で、安全幕３にゴム質シートを使用し、それ自体の弾性を利用してもこの発明の趣旨に反しないものとする。また、扉が自然に閉まるように、閉じの付勢装置３７を別途に設けても良い（請求項３）。
【００１０】
【発明の効果】
以上説明したように、この発明によれば、隣接する扉端面間を封じる安全幕を張設したので、その間に指等が挟まれなる危険がなくなり、扉を閉めるときに安全であり、しかも、都合良く自然に閉まるようになし得るばかりか、気密性、断熱性が良好となるという優れた効果がある。
【００１１】
【実施例】
次に、この発明の実施例を図面に基づいて説明する。
【００１２】
図１は、出入口枠Ｆに二枚の折畳式扉Ｄを嵌めた場合において、閉じた状態を示し、図２は、開いた状態を示す。両扉１，２の両方にわたって指つめ防止の安全幕３を張設し、両扉１，２にそれを常時張りつめる付勢装置４，４が設けられることにより、指つめ防止装置が構成される。なお、図示の都合から、寸法的比率は、実際とは異なって記載される。
【００１３】
二枚の扉１，２のうち、基端扉１は、出入口枠Ｆに一端の上下の固定軸５，５を中心に開閉可能となっているのに対して、従属扉２は、上下の移動軸７，８を中心に開閉可能になっている。そのため、上枠９には、レール１１を内装し、レール１１に走行する車輪１３，１３に移動軸７を介して吊り下げられる。なお、表裏に関しては図１および図２の図示によるものとする。
【００１４】
同図では、両扉１，２は裏側において蝶番１４，１４の軸１４ａが位置し、移動軸７，８が中央に近い箇所に設けられているので、開くときには、従属扉２の先端の取っ手１５を裏側へ押しながら基端方向へレール移動することになる。そうすると、両扉１，２の連結箇所が手前に突き出て（図２）、両方の接合端面１７，１７の間が開拡される。
【００１５】
安全幕３および付勢装置４を納めるために、両扉１，２には、突き合わせ端部に表側寄りの空間部１９，１９を設け、それを設けるために、扉１，２にそれぞれ切欠２１，２１を形成し、それを表面板２２により封じてある。従って、その空間部１９が端方向に開口し、表面板２２の端が開口外縁２４となっている。また、両扉１，２の突き合う切欠角部には、安全幕３を摺動可能に受ける枕部２３，２３が縦桟の嵌着により設けてある。
【００１６】
両表面板２２，２２の間、つまり開口外縁２４，２４の間は、両扉１，２が閉じた状態においても間隔が開いており（図１）、安全幕３がその間隔を常時封じるよう巾広く形成され、両側端にリブ材２５，２５が取り付けられる。また、安全幕３の中央部には、両表面板２２，２２の間となる軟質材２７が接着され、軟質材２７と表面板２２との間に指が挟まれない間隔が設けられる。しかし、軟質材２７のため、たとえ挟まれても痛みを覚えることはない。
【００１７】
付勢装置４は、安全幕３の端を重り２９で引くように（図４）、その間に線材３０とそれを掛ける滑車３１を介在させたもので、滑車ホルダー３３が内空部１９の内側面に固定される。滑車ホルダー３３は、平面から見てコ字形であって（図３）、上端部に一対の耳片３５，３５を突設し、その間に滑車３１が軸支される。また、下端部には重り２９の振れを防止する囲み３７が設けられている。
【００１８】
さらに、両扉１，２の内空部１９，１９にわたって、自然に閉まるよう閉じの付勢装置３７が設けられている。これについては、図５に示すように、前記の付勢装置４と同じように、重り３９と、線材４０と、滑車４１と、滑車ホルダー４３とが用いられる。そして、基端扉１に内空部１９で滑車ホルダー４３を固定し、従属扉２に内空部１９で線材４０を金具４５により結合してある。また、両扉１，２に閉じの付勢装置３７の機構が納まる鞘４６，４７を設け、鞘４６，４７の端に線材４０が掛かるローラ４８，４８が取り付けられる。
【図面の簡単な説明】
【図１】この発明に係る折畳式開閉扉を一部切欠して示す正面図である。
【図２】この発明の要部を示す同折畳式開閉扉の開いた状態の斜視断面図である。
【図３】この発明の要部を示す同折畳式開閉扉の閉じた状態の横断面図である。
【図４】この発明に係る付勢装置を示す正面図である。
【図５】この発明に係る閉じの付勢装置を示す正面図である。
【符号の説明】
Ｄ　折畳式開閉扉
１，２　扉
３　安全幕
４　付勢装置
１４　蝶番
１４ａ　軸
１７　端面
１９　内空部
２４　開口外縁
２７　軟質材
２９　重り
３７　閉じの付勢装置
３９　重り
【図１】
2004060242.tif 000003
【図２】
2004060242.tif 000004
【図３】
2004060242.tif 000005
【図４】
2004060242.tif 000006
【図５】
2004060242.tif 000007